(57)【要約】【課題】パソコンの動作性能の向上と、ＰＣリサイクル【解決手段】  〔０００１〕ＣＰＵをパソコン本体内部マザーボード上に設置する従来のシステム構成理論では、昨今のＣＰＵ冷却装置の大型化への対応の限界があり、ＣＰＵの動作性能が向上すればするほど、ＣＰＵの動作時の発熱が大きな問題となっております。本発明では、ＣＰＵをパソコン本体内部マザーボード上ではなく、パソコン本体外部ユニットとして設置することで、ＣＰＵの動作時の発熱問題を飛躍的に解決するものである。  〔０００２〕技術進歩が盛んなパソコン関連業界において、１年過ぎたらただのゴミと称されるように、技術進歩に併せて不要パソコンの発生が今、大きな社会問題となりＰＣリサイクル法という法律も成立したわけですが、本発明を実施する事で、今までスペック不足や、ＣＰＵとチップセットとの適応の問題で、ゴミと判断されていたパソコンでも、技術進歩に合わせたシステム再構築が可能となりますので、ＰＣリサイクルという面でも革新的な発明と言えます。【選択図】  なし【特許請求の範囲】
【請求項１】
パソコン本体へ外部からＣＰＵを接続するパソコン構成
【請求項２】
パソコン本体へ外部から接続するＣＰＵソケットを持った、外付けＣＰＵユニット
【請求項３】
パソコン本体へ外部から接続するＣＰＵソケットとチップセットを持った、外付けＣＰＵユニット
【請求項４】
パソコン本体へ外部から接続するＣＰＵソケットとチップセット、ＢＩＯＳチップを持った、外付けＣＰＵユニット
【請求項５】
ＣＰＵソケットを内蔵せずに、外付けＣＰＵユニットに依存するマザーボード
【請求項６】
ＣＰＵソケットとチップセットを内蔵せずに、外付けＣＰＵユニットに依存するマザーボード
【請求項７】
ＣＰＵソケットとチップセット、ＢＩＯＳチップを内蔵せずに、外付けＣＰＵユニットに依存するマザーボード
【請求項８】
本発明外部ＣＰＵ構成理論の実施の際、パソコン本体内蔵マザーボードと外付けＣＰＵユニットとの接続を行なうインターフェースケーブル類
【請求項９】
本発明外部ＣＰＵ構成理論の実施の際、パソコン本体内蔵マザーボードと外付けＣＰＵユニットとの接続を行なうインターフェースケーブル類を接続するソケット類
【発明の詳細な説明】
【発明の詳細な説明】
【技術分野】
【０００１】１  本発明は、パソコンの構成に用いるＣＰＵの設置方法に関する。
１  本発明は、パソコンの構成に用いるＣＰＵの冷却方法に関する。
１  本発明は、パソコンの構成に用いる外部ＣＰＵユニット接続方法に関する。
１  本発明は、パソコンの構成変更時のスペック向上に関する。
【背景技術】
【０００２】パソコンの構成においてＣＰＵは、パソコン本体内に固定されたマザーボード上のＣＰＵソケットに挿入し使用されるものである。
【発明が解決しようとする課題】
【０００３】従来のパソコン構成において、ＣＰＵのスペック向上に伴い、演算処理速度の劇的な進歩に併せて、ＣＰＵの加熱が問題になっており、現在、各関係メーカーにて、ＣＰＵの冷却装置の開発がこぞって行なわれておりますが、パソコン構成に関しては、従来どおりのパソコン本体内に固定されたマザーボード上のＣＰＵソケットにＣＯＵを挿入するという形からは何も変化がみられておりません。
【０００４】本発明により従来のパソコン構成を見なおす事で、ＣＰＵクーラーのサイズ・形態・冷却方法もさらに多様化が可能となりますので、ＣＰＵの冷却もより効果的に行なえるようになり、加熱問題を解決する画期的方法となります。
【０００５】技術進歩に併せて、パソコンをより高性能な物にスペック変更しようとする場合、ＣＰＵの交換をするわけですが、この場合、マザーボード上のＣＰＵソケット・チップセットと同規格のＣＰＵとの交換しか従来のパソコン構成ではできませんが、本発明により、スペック変更作業が効果的に行なう事が可能となります。
【課題を解決するための手段】
【０００６】上記目的を達成するために、本発明における外部ＣＰＵ構成理論は、従来のパソコン構成でのパソコン内部のマザーボード上のＣＰＵに依存する形ではなく、外部ＣＰＵソケット上のＣＰＵに依存させる形式に変更する事で、課題の解決を行ないます。
【０００７】上記目的を達成するために、本発明における外部ＣＰＵ構成理論は、従来のパソコン構成でのパソコン内部のマザーボード上のＣＰＵとチップセットに依存する形ではなく、外部ＣＰＵソケット上のＣＰＵとチップセットに依存させる形式に変更する事で、課題の解決を行ないます。
【０００８】上記目的を達成するために、本発明における外部ＣＰＵ構成理論は、従来のパソコン構成でのパソコン内部のマザーボード上のＣＰＵとチップセット、ＢＩＯＳチップに依存する形ではなく、外部ＣＰＵソケット上のＣＰＵとチップセット、ＢＩＯＳチップに依存させる形式に変更する事で、課題の解決を行ないます。
【発明を実施するための最良の形態】
【０００９】発明の実施の形態について、パソコン本体へ外部からＣＰＵを接続するパソコン構成の説明をする。従来のパソコン構成理論では、パソコン内部のマザーボード上のＣＰＵとチップセットに依存するものであるが、本発明の場合は、ＣＰＵを外部ＣＰＵソケット上のＣＰＵとチップセットに依存させる形式に変更する。
【実施例】
【００１０】本発明により、本体内蔵マザーボード上に、ＣＰＵを設置する必要が無くなれば、ＣＰＵソケット・ＣＰＵ冷却装置のスペース確保の問題も一切無くなり、デュアルＣＰＵ化等も容易に行なう事も可能となる。
【発明の効果】
【００１１】１  ＣＰＵの動作能力をさらに高速化できる。
１  ＣＰＵの冷却がより効果的に行なう事ができる。
１  ＣＰＵの冷却がより大型な冷却装置を用い行なう事ができる。
１  ＣＰＵの加熱による問題の発生を防ぐ事ができる。
１  パソコンのスペック変更作業がより簡単に行なう事ができる。
１  パソコンのスペック変更がより効果的に行なう事ができる。
１  デュアルＣＰＵ化等も容易に行なう事ができる。
１  パソコン構成をより機能的な形のものに構成できる。
１  パソコン本体の今以上のマイクロＰＣ化ができる。
１  多大なＰＣリサイクル効果を望む事ができる。
【図面の簡単な説明】以下、図面は、本発明外部ＣＰＵ構成理論の、ＣＰＵソケットとチップセット、ＢＩＯＳチップを、パソコン本体内蔵マザーボードへ接続使用する外部ユニットの基盤配置構成を略図にしたものである。【図１】パソコン本体内蔵マザーボードへ接続使用する外部ユニットの基盤でのＣＰＵソケットの配置構成を略図にしたものである。
【図２】パソコン本体内蔵マザーボードへ接続使用する外部ユニットの基盤でのＣＰＵソケットとチップセットの配置構成を略図にしたものである。
【図３】パソコン本体内蔵マザーボードへ接続使用する外部ユニットの基盤でのＣＰＵソケットとチップセット、ＢＩＯＳチップの配置構成を略図にしたものである。
【符号の説明】
１  パソコン本体内蔵のマザーボード
２  パソコン本体内蔵のマザーボードとの接続をするインターフェースケーブル類
３  インターフェースケーブル類を接続するパソコン本体内蔵のマザーボード側のソケット
４  インターフェースケーブル類を接続する外部ユニット側のソケット
５  外部ユニット基盤上のＣＰＵソケット
６  外部ユニット基盤上のチップセット
７  外部ユニット基盤上のＢＩＯＳチップ
【図１】
2006048607.tif 000002
【図２】
2006048607.tif 000003
【図３】
2006048607.tif 000004